(57)【要約】【課題】悪質な迷惑電話による着信とその他の着信を識別可能な携帯電話機を提供する。【解決手段】着信日時および発信元電話番号の情報を含む着信履歴、予め設定された着信履歴を削除するか否かの判断基準となる閾値、ならびに発信元の照合のための電話番号が格納される記憶部５と、着信通知を受信すると、着信通知に伴って受信した発信元電話番号と同じ電話番号が記憶部５に格納されてなく、かつ、着信通知受信時から回線切断時までの時間である着信中時間が閾値より小さい場合に着信通知に対応した着信履歴を削除する制御部３とを有する構成である。【選択図】　図１
2004048344.tif 000002
【特許請求の範囲】
【請求項１】
着信日時および発信元電話番号の情報を含む着信履歴、予め設定された前記着信履歴を削除するか否かの判断基準となる閾値、ならびに発信元の照合のための電話番号が格納される記憶部と、
着信通知を受信すると、該着信通知に伴って受信した発信元電話番号と同じ電話番号が前記記憶部に格納されてなく、かつ、着信通知受信時から回線切断時までの時間である着信中時間が前記閾値より小さい場合に前記着信通知に対応した前記着信履歴を削除する制御部と、
を有する携帯電話機。
【請求項２】
予め設定された警告表示させるか否かの判断基準となる閾値、発信元の照合のための電話番号、着信日時および発信元電話番号の情報を含む着信履歴、ならびに着信通知受信時から回線切断時までの時間である着信中時間の情報が格納される記憶部と、
前記着信履歴を表示するための表示部と、
着信通知を受信すると、該着信通知に対応した前記着信履歴とともに前記着信中時間を前記記憶部に格納し、前記着信履歴の参照要求の指示を受け取ると、該着信履歴の発信元電話番号と同じ電話番号が前記記憶部に格納されてなく、かつ、前記着信中時間が前記閾値より小さい場合に、参照要求された着信履歴および発信元へ発信させないための警告を前記表示部に表示させる制御部と、
を有する携帯電話機。
【請求項３】
前記制御部は、
前記表示された着信履歴の発信元電話番号への発信要求の指示を受け取ると、発信するか否かを確認するための確認ダイアログを前記表示部に表示させる請求項２記載の携帯電話機。
【請求項４】
前記閾値が設定されるための入力部を有する請求項１または２記載の携帯電話機。
【請求項５】
着信通知を受信すると着信通知受信時から回線切断時までの時間である着信中時間をカウントし、
前記着信通知に伴って受信した発信元電話番号、および着信日時の情報を含む着信履歴を格納し、
前記発信元電話番号と、予め格納された発信元の照合のための電話番号とが一致するか否かを判定し、
一致しなければ、予め設定された前記着信履歴を削除するか否かの判断基準となる閾値と前記着信中時間とを比較し、
前記着信中時間が前記閾値より小さい場合に、前記着信通知に対応した前記着信履歴を削除する携帯電話機の着信履歴削除方法。
【請求項６】
着信通知を受信すると着信通知受信時から回線切断時までの時間である着信中時間をカウントし、
前記着信通知に伴って受信した発信元電話番号、および着信日時の情報を含む着信履歴とともに前記着信中時間を記録し、
前記着信履歴の参照要求の指示を受け取ると、該着信履歴の発信元電話番号と、予め格納された発信元の照合のための電話番号とが一致するか否かを判定し、
一致しなければ、予め設定された警告表示するか否かの判断基準となる閾値と前記着信中時間を比較し、
前記着信中時間が前記閾値より小さい場合に、参照要求された着信履歴および発信元へ発信させないための警告を表示する携帯電話機の着信履歴表示方法。
【請求項７】
前記表示された着信履歴の発信元電話番号への発信要求の指示を受け取ると、発信するか否かを確認するための確認ダイアログを表示する請求項６記載の着信履歴表示方法。
【発明の詳細な説明】
【０００１】
【発明の属する技術分野】
本発明は、発信元電話番号および着信日時の情報を含む着信履歴を格納する携帯電話機、着信履歴削除方法、および着信履歴表示方法に関する。
【０００２】
【従来の技術】
近年、着信履歴から発信元電話番号にコールバック可能な携帯電話機を利用した「悪質な迷惑電話」が問題になっている。
【０００３】
悪質な迷惑電話とは、例えば、自分の知らない電話番号の着信履歴を見たユーザがその番号にコールバックすると有料番組等の案内テープに回線が接続されるというものである。このコールバックを行うことで、ユーザは高額な支払請求による金銭的な被害だけでなく、強迫的な支払請求による精神的な被害を被っていた。
【０００４】
迷惑電話の発信元の業者は無作為の電話番号に発信し、回線が接続されると、例えば、一回の呼出であるワンコールで、すぐに切断して携帯電話機に着信履歴を残すようにしており、通信コストをかけずに大量の迷惑電話をかけている。
【０００５】
この問題を防ぐ手段として、自分の知らない電話番号の着信履歴に対してはコールバックしないことがユーザに推奨されている。
【０００６】
【発明が解決しようとする課題】
しかし、全ての着信履歴に対して電話を掛けないとすると、本当にコールバックする必要がある相手に対して着信履歴から発信できないという問題があった。
【０００７】
本発明は上記したような従来の技術が有する問題点を解決するためになされたものであり、悪質な迷惑電話による着信とその他の着信を識別可能な携帯電話機、迷惑電話による着信履歴を削除する着信履歴削除方法、および、迷惑電話に電話をかけることを防止する着信履歴表示方法を提供することを目的とする。
【０００８】
【課題を解決するための手段】
上記目的を達成するための本発明の携帯電話機は、着信日時および発信元電話番号の情報を含む着信履歴、予め設定された前記着信履歴を削除するか否かの判断基準となる閾値、ならびに発信元の照合のための電話番号が格納される記憶部と、
着信通知を受信すると、該着信通知に伴って受信した発信元電話番号と同じ電話番号が前記記憶部に格納されてなく、かつ、着信通知受信時から回線切断時までの時間である着信中時間が前記閾値より小さい場合に前記着信通知に対応した前記着信履歴を削除する制御部と、
を有する構成である。
【０００９】
上記のように構成される本発明では、着信した電話番号が記憶部に格納されてなく、かつ着信中時間が閾値より小さければ、着信履歴が削除され、記憶部に格納されない。
【００１０】
また、本発明の携帯電話機は、予め設定された警告表示させるか否かの判断基準となる閾値、発信元の照合のための電話番号、着信日時および発信元電話番号の情報を含む着信履歴、ならびに着信通知受信時から回線切断時までの時間である着信中時間の情報が格納される記憶部と、
前記着信履歴を表示するための表示部と、
着信通知を受信すると、該着信通知に対応した前記着信履歴とともに前記着信中時間を前記記憶部に格納し、前記着信履歴の参照要求の指示を受け取ると、該着信履歴の発信元電話番号と同じ電話番号が前記記憶部に格納されてなく、かつ、前記着信中時間が前記閾値より小さい場合に、参照要求された着信履歴および発信元へ発信させないための警告を前記表示部に表示させる制御部と、
を有する構成である。
【００１１】
上記のように構成される本発明では、参照要求のあった着信履歴の発信元電話番号が登録されてなく、かつ着信中時間が閾値より小さければ、着信履歴とともに、発信元へ発信させないための警告が表示される。
【００１２】
この場合、前記制御部は、
前記表示された着信履歴の発信元電話番号への発信要求の指示を受け取ると、発信するか否かを確認するための確認ダイアログを前記表示部に表示させることとしてもよい。
【００１３】
上記のように構成される本発明では、警告表示された着信履歴の発信元電話番号に発信しようとすると、発信を確認するための確認ダイアログが表示される。
【００１４】
また、上記いずれかの本発明の携帯電話機において、前記閾値が設定されるための入力部を有することとしてもよい。
【００１５】
上記のように構成される本発明では、閾値が入力部から設定可能なため、着信履歴の削除、または警告表示をさせるか否かの判断基準となる値をユーザ毎に設定可能となる。
【００１６】
一方、上記目的を達成するための本発明の着信履歴削除方法は、着信通知を受信すると着信通知受信時から回線切断時までの時間である着信中時間をカウントし、
前記着信通知に伴って受信した発信元電話番号、および着信日時の情報を含む着信履歴を格納し、
前記発信元電話番号と、予め格納された発信元の照合のための電話番号とが一致するか否かを判定し、
一致しなければ、予め設定された前記着信履歴を削除するか否かの判断基準となる閾値と前記着信中時間とを比較し、
前記着信中時間が前記閾値より小さい場合に、前記着信通知に対応した前記着信履歴を削除することを特徴とする。
【００１７】
上記目的を達成するための本発明の着信履歴表示方法は、着信通知を受信すると着信通知受信時から回線切断時までの時間である着信中時間をカウントし、
前記着信通知に伴って受信した発信元電話番号、および着信日時の情報を含む着信履歴とともに前記着信中時間を記録し、
前記着信履歴の参照要求の指示を受け取ると、該着信履歴の発信元電話番号と、予め格納された発信元の照合のための電話番号とが一致するか否かを判定し、一致しなければ、予め設定された警告表示するか否かの判断基準となる閾値と前記着信中時間を比較し、
前記着信中時間が前記閾値より小さい場合に、参照要求された着信履歴および発信元へ発信させないための警告を表示することを特徴とする。
【００１８】
この場合、前記表示された着信履歴の発信元電話番号への発信要求の指示を受け取ると、発信するか否かを確認するための確認ダイアログを表示することとしてもよい。
【００１９】
【発明の実施の形態】
本発明の携帯電話機は、着信した電話番号が登録されてなく、かつ着信通知を受信してから回線切断通知までの時間が所定時間よりも短ければ、迷惑電話の可能性が高いものと判断して、着信履歴を保存しないこと、または保存した着信履歴を表示する際に警告表示することを特徴とするものである。
【００２０】
（第１実施例）
本発明の携帯電話機の構成について説明する。なお、本実施例では着信履歴の情報処理に関する構成を説明するものであり、通話に関する機能を実行する構成についての詳細な説明を省略する。
【００２１】
図１は本発明の携帯電話機の一構成例を示すブロック図である。
【００２２】
図１を参照すると、本実施例の携帯電話機は、ユーザからのキー入力等を受け付ける入力部１と、着信履歴を表示させるための小型ディスプレイ等の表示部２と、プログラム制御により動作する制御部３と、無線信号を送受信する無線部４と、着信履歴などを格納するための記憶部５とを有する構成である。
【００２３】
入力部１は携帯電話機が備える各種機能をユーザが選択可能とするための操作キーを備え、ユーザの操作による着信履歴の参照要求、および表示部２に表示された着信履歴の発信元電話番号への発信要求などの指示を制御部３に送出する。
【００２４】
無線部４は図に示さない基地局との間で無線通信を行い、音声通信時において、着信があることを通知する着信通知、および、接続された回線の切断があったことを知らせる回線切断通知などの音声通信制御信号を基地局から受信すると制御部３に送出し、制御部３から受け取る、着信に応答したことを知らせる応答通知を基地局に送信する。
【００２５】
記憶部５は、ユーザが入力部１から入力操作することで登録した名前および電話番号を含む情報の組からなる電話帳データ５１と、着信日時および発信元電話番号の情報を含む着信履歴データ５２と、ユーザが設定した各種情報となる設定データ５３とを保存する。電話帳データ５１は記憶部５を複数に分割した領域である記憶領域のうち電話帳として用いられる領域に格納されている。設定データ５３には、着信履歴を削除するか否かの判断基準となる閾値がある。なお、この閾値は、ユーザによる入力部１からの操作により設定される。また、電話帳データ５１は発信元の照合のためのデータとして利用可能である。
【００２６】
図２は記憶部５に保存された着信履歴データ５２の例を示す表である。
【００２７】
図２を参照すると、着信履歴データ５２は、着信日時、相手先電話番号、および不在着信かどうかを示す不在着信フラグの情報が組になったデータである。この不在着信フラグは、ユーザが着信に応答したか否かを示すものであり、着信に応答した場合、不在着信フラグは「Ｎｏ」になる。なお、発信側で電話番号を「非通知」に設定した場合には、図２に示すように、相手先電話番号は「非通知」で保存される。
【００２８】
制御部３はプロセッサ（ＣＰＵ）３１と、プロセッサ３１に所定の処理を実行させるためのプログラムが格納された内部メモリ３２とを備えている。制御部３は無線部４から受け付ける音声通信制御信号、および記憶部５から読み出すデータについて、上記プログラムにしたがって処理を実行する。
【００２９】
制御部３は着信通知を無線部４から受け取ると、着信通知受信時から回線切断時までの時間である着信中時間をカウントする。また、着信通知の発信元電話番号が記憶部５の電話帳に登録されていない場合、カウントした着信中時間と予め記憶部５に格納された閾値と比較する。比較の結果、着信中時間が閾値より小さい場合には、着信履歴データ５２を記憶部５に記録せず、着信中時間が閾値以上であった場合には、不在着信フラグを「Ｙｅｓ」にした着信履歴データ５２を記憶部５に記録する。
【００３０】
次に、上述した構成の携帯電話機の動作手順を説明する。
【００３１】
図３は携帯電話機の動作手順を示すフローチャートである。
【００３２】
本実施例の動作は、無線部４からの着信通知を受信可能な待受け状態から開始する。待受け状態で、制御部３は基地局から無線部４を介して着信通知を受信したかどうかを判定する（ステップＡ１）。着信通知を受信していない場合、再度ステップＡ１を繰り返す。
【００３３】
ステップＡ１で制御部３は着信通知を受信すると、着信日時および発信元電話番号の情報を一旦記憶部５に格納し、着信通知受信時から回線切断時までの時間である着信中時間のカウントを開始し（ステップＡ２）、着信中状態になる。着信中状態において、基地局から無線部４を経由して回線切断通知を受信したかどうかを判定し（ステップＡ３）、回線切断通知を受信していない場合、ユーザから入力部１に通話開始キー操作があるかどうかを判定する（ステップＡ４）。通話開始キー操作がない場合は再びステップＡ３に戻る。
【００３４】
ステップＡ４で制御部３は通話開始キー操作を検出すると、不在着信フラグを「Ｎｏ」にした着信履歴データ５２を記憶部５に記録して（ステップＡ５）、通話可能な状態（ステップＡ６）になる。ユーザの通話終了後は再び待受け状態に戻る。
【００３５】
ステップＡ３で制御部３は回線切断通知を受信すると、ステップＡ２にて開始したカウントを停止し、着信中時間を算出する（ステップＡ７）。続いて、記憶部５の電話帳に格納された電話帳データ５１を参照して、発信元の電話番号が登録されているかを判定し（ステップＡ８）、電話帳に登録されていた場合、不在着信フラグを「Ｙｅｓ」にした着信履歴データ５２を記憶部５に記録する（ステップＡ１０）。
【００３６】
ステップＡ８で発信元電話番号が登録されていない場合、制御部３はステップＡ７で求められた着信中時間と予め設定データ５３として記憶部５に格納された閾値と比較する（ステップＡ９）。比較の結果、着信中時間が閾値より小さい場合、一旦格納していた着信日時および発信元電話番号を削除して着信履歴データ５２を記録せず、待受け状態に戻る。
【００３７】
一方、ステップＡ９で着信中時間が閾値以上であった場合、不在着信フラグを「Ｙｅｓ」にした着信履歴データ５２を記憶部５に記録し（ステップＡ１０）、待受け状態に戻る。
【００３８】
なお、上記閾値を０秒に設定することで、全ての着信を着信履歴に残すようにすることができる。
【００３９】
上述のようにして、本実施例では、記憶部５の電話帳に登録されていない電話番号からの着信で、かつ着信中時間が予め設定された時間以内の着信は着信履歴データ５２として保存されない。
【００４０】
そのため、ユーザからのコールバックを期待した悪質な迷惑電話の可能性がある着信に関しては着信履歴に残さないようにできる。
【００４１】
また、予めユーザが設定した閾値と着信中時間を比較することで着信履歴に保存するかどうかを決めているため、ユーザは、何秒以上の着信中時間があれば着信履歴に記録させるかを設定できる。
【００４２】
（第２実施例）
上記第１実施例では発信元電話番号が登録されてなく、かつ着信中時間が所定の時間以内の着信であれば着信履歴に記録しないものであるが、本実施例は着信中時間が所定時間以内の着信についても着信履歴に記録することを特徴とする。
【００４３】
本実施例における着信履歴データおよび制御部３の構成について説明する。なお、本実施例では、着信履歴データおよび制御部３を除いて上記第１実施例と同様な構成であるため、その詳細な説明を省略する。
【００４４】
図４は本実施例における着信履歴データの例を示す表である。
【００４５】
図４を参照すると、本実施例の着信履歴データでは、図２に示した項目の他に、着信中時間が記録されている。なお、図４に示す着信中時間の単位は［秒］である。
【００４６】
制御部３は、着信通知を無線部４から受け取ると、着信中時間をカウントし、着信日時、発信元電話番号、不在着信フラグ、および着信中時間の情報を含む着信履歴データを記憶部５に記録する。
【００４７】
制御部３はユーザが入力部１に着信履歴を参照する操作をすると、参照要求の指示を受け取り、着信履歴データを記憶部５から読み出し、着信日時、発信元電話番号を表示部２に表示させる。ここで、発信元電話番号が記憶部５の電話帳に登録されていれば、電話番号とともに登録された名前を表示部２に表示させる。また、着信履歴データの不在着信フラグが「Ｙｅｓ」の場合、着信に応答しなかった旨を表示部２に表示させる。また、発信元電話番号が記憶部５の電話帳に登録されてなく、かつ着信中時間が予め設定された閾値より小さければ、発信元が迷惑電話である可能性が高いことから発信元に発信させないための警告を表示部２に表示させる。さらに、ユーザの操作により着信履歴の発信元電話番号へ発信する要求を受け取ると、着信履歴の着信中時間を閾値と比較して閾値より小さければ、発信するか否かを確認するための確認ダイアログを表示部２に表示させる。
【００４８】
なお、上記確認ダイアログ画面を表示させるかどうかは、ユーザにより設定可能である。また、本実施例では、予め設定される閾値は表示部２に警告表示をさせるか否かの判断基準となる。
【００４９】
次に、本実施例の携帯電話機の動作について説明する。
【００５０】
図５は携帯電話機の動作手順を示すフローチャートである。なお、図５のステップＢ１からＢ７までの動作は図３に示したステップＡ１からＡ７までと同様なため、その詳細な説明を省略する。
【００５１】
ステップＢ８で、制御部３は全ての着信について、着信履歴として着信日時、発信元電話番号、および不在着信フラグの他に、ステップＢ７で算出した着信中時間を記録する。
【００５２】
次に、ユーザが着信履歴を参照する場合について説明する。
【００５３】
ユーザが入力部１に着信履歴の参照要求の操作をすると、制御部３は着信履歴データを読み出して、読み出した着信履歴データから上述のように処理を行い、表示部２に表示させる。
【００５４】
図６は表示部２に表示される着信履歴の表示画面例を示す図である。
【００５５】
表示画面Ｃ１は着信履歴データの不在着信フラグが「Ｎｏ」の場合であり、発信元番号が通知されているため電話番号が表示されている。
【００５６】
表示画面Ｃ２〜Ｃ４は不在着信フラグが「Ｙｅｓ」の場合であり、着信に対して応答しなかった旨（［不在］）が表示される。電話番号が電話帳に登録されていれば、表示画面Ｃ２に示すように、電話番号とともに登録されている名前が表示される。ここで、発信元電話番号が電話帳に登録されてなく、かつ着信中時間が予め設定された閾値より小さい場合は、表示画面Ｃ４に示すように、ユーザに対して発信元へ発信させないための警告（［警告！！］）が表示される。
【００５７】
表示画面Ｃ４に示した着信履歴からユーザの操作により発信要求がなされた場合、発信するかどうかを確認するための確認ダイアログ画面（表示画面Ｃ５）を表示部２に表示させる。発信するためには、この確認ダイアログ画面を見ながらさらにユーザは入力部１を操作しなければならない。確認ダイアログ画面を表示させることで、ユーザが着信履歴から迷惑電話である可能性の高い電話番号に誤って発信することを防止できる。
【００５８】
なお、表示画面Ｃ２に示すように発信元の電話番号が電話帳に登録されている場合、および表示画面Ｃ３に示すように着信中時間が閾値以上の場合の少なくともいずれかの場合は、表示画面Ｃ４に示した警告は表示されない。
【００５９】
上述のようにして、本実施例では、着信履歴に着信中時間を記録し、ユーザが着信履歴参照時にその時間が予め設定された時間以内であれば警告を表示するようにしているため、悪質な迷惑電話の可能性のある着信に関しては着信履歴参照時にユーザに対して警告できる。
【００６０】
また、着信履歴に着信中時間を記録しておくことで、迷惑電話の可能性を識別できるようにしているため、その可能性のある着信に対して、ユーザがコールバックしようとしたときにユーザに対して発信するかどうかを確認するための確認ダイアログを表示できる。
【００６１】
【発明の効果】
本発明は以上説明したように構成されているので、以下に記載する効果を奏する。
【００６２】
本発明では、登録されていない電話番号からの着信で、かつ着信中時間が予め設定された時間以内の着信については着信履歴として保存しないため、ユーザからのコールバックを期待した悪質な迷惑電話の可能性がある着信に関しては着信履歴に残さないようにできる。
【００６３】
また、予めユーザが設定した閾値と着信中時間を比較することで着信履歴に保存するかどうかを決めているため、ユーザは、何秒以上の着信中時間があれば着信履歴に記録させるかを設定できる。
【図面の簡単な説明】
【図１】本発明の携帯電話機の構成例を示すブロック図である。
【図２】本発明の携帯電話機に保存された着信履歴データ５２の例を示す表である。
【図３】本発明の携帯電話機の動作手順を示すフローチャートである。
【図４】本発明の第２実施例における着信履歴データの例を示す表である。
【図５】本発明の第２実施例における携帯電話機の動作手順を示すフローチャートである。
【図６】本発明の第２実施例において、表示部２に着信履歴が表示された表示画面例を示す図である。
【符号の説明】
１　　入力部
２　　表示部
３　　制御部
３１　　プロセッサ
３２　　内部メモリ
４　　無線部
５　　記憶部
５１　　電話帳データ
５２　　着信履歴データ
５３　　設定データ
【図１】
2004048344.tif 000003
【図２】
2004048344.tif 000004
【図３】
2004048344.tif 000005
【図４】
2004048344.tif 000006
【図５】
2004048344.tif 000007
【図６】
2004048344.tif 000008